(57)【要約】      （修正有）【課題】コストを低下し、識別率を向上した識別機能を備えたタッチパネルを提供する。【解決手段】ガラス基板１１の上下面をそれぞれ第一平面１１１及び第二平面１１２とし、第一平面にタッチ制御エリア１１ａ及び非タッチ制御エリア１１ｂを区画して、第二平面に第一電極層１２、絶縁層１３、第二電極層１４、配線層１５、薄膜層１６、指紋識別感知層１７を順に積層して設ける。指紋識別感知層は、薄膜層を介して第二電極層１４、配線層１５と絶縁され、複数の指紋識別チップ１７１及びこれと電気的に接続される複数の伝送導線１７２により駆動される。【選択図】図１
0003197809.tif 000002
【実用新案登録請求の範囲】
【請求項１】
指紋識別機能を備えたタッチパネルにおいて、
ガラス基板の上、下面をそれぞれ第一平面及び第二平面として該第一平面にはタッチ制御エリア及び該タッチ制御エリアに隣接して非タッチ制御エリアを定め、
上記ガラス基板の第二平面に複数の第一電極を備える第一電極層と、
該第一電極層を被覆する絶縁層とを設け
該絶縁層の該第一電極層に相反する別側のタッチ制御エリアに複数の第二電極を備える第二電極層を設け、
上記非タッチ制御エリアに複数の導線を備えて第一、二電極層を選択して電気的に接続する配線層を設け、
上記第二電極層及び該配線層を被覆する薄膜層を設けて、
上記薄膜層の上記第二電極層に相反する別側か、もしくは上記ガラス基板の第一平面のいずれかに、複数の指紋識別チップ及び複数の伝送導線を備えて該複数の指紋識別チップが該複数の伝送導線と電気的に接続する指紋識別感知層を配置した、
ことを特徴とする指紋識別機能を備えたタッチパネル。
【請求項２】
前記指紋識別機能を備えたタッチパネルは、更に、前記ガラス基板の第二平面の非タッチ制御エリアの該ガラス基板及び前記配線層の間に遮蔽層を備えた、
ことを特徴とする請求項１記載の指紋識別機能を備えたタッチパネル。
【請求項３】
前記指紋識別機能を備えたタッチパネルは、更に、エポキシ樹脂、もしくはアクリル樹脂、もしくはシリコン樹脂のいずれかからなり、
前記指紋識別感知層を被覆する保護層を備えた、
ことを特徴とする請求項１記載の指紋識別機能を備えたタッチパネル。
【請求項４】
前記指紋識別感知層は、更に、複数の指紋識別チップに隣接して設置された複数の透明な金属導線を備えた、
ことを特徴とする請求項１記載の指紋識別機能を備えたタッチパネル。
【請求項５】
前記非タッチ制御エリアは、該タッチ制御エリア外側に設置したことを特徴とする請求項１記載の指紋識別機能を備えたタッチパネル。
【考案の詳細な説明】
【技術分野】
【０００１】
本考案は、指紋識別機能を備えたタッチパネルに関するもので、指紋識別チップをタッチ制御パネル上に整合して指紋識別するタッチ制御装置である。
【背景技術】
【０００２】
マルチメディア技術の発展に拠って、携帯電話、携帯情報端末(Personａl Digitａl Assistant，PDＡ)、デジタルカメラ、パーソナルノートパソコンまたはパレット端末またはウェアラブルデバイス等スマート型携帯式電子装置はますます人々にとって必須のツールとなっている。しかしながら、これらの携帯式電子装置はパーソナル性が高いのが特徴であるため、これらの携帯式電子装置を無くしたり、盗まれたりした場合、その内部の情報、例としてアドレス帳、写真データなどが第三者に使われて不必要な損失を蒙ることになる。
【０００３】
このようなことから、この種の製品には一定の身分認証及び許可管理によってユーザーのプライバシーの安全を確保する。目下採用されている身分の主な認証方法はパスワードで保護することである。ユーザーが事前に正確なパスワードを携帯式電子装置に入力しておくことで、携帯式電子装置のコントロール画面に進むことができる。しかしながら、パスワード保護の安全性が低い。その原因として、パスワードが漏洩したり、ハッキングされたりしやすいからである。その他、仮にユーザーがパスワードを忘れてしまうと、非常に面倒である。そのため、指紋識別の身分認證を採用した携帯式電子装置が市場に出てきている。各人の指紋はすべて異なるため、指紋は唯一の特徴と言え、指紋識別を採用した身分認證は安全性が高まる。更に、指紋識別を使用した身分認證の方法は簡単であり、ユーザーの記憶やパスワード入力の手間を省く。
【０００４】
現行の指紋識別システムは手持式装置もしくはモバイル装置上で広く応用されている。最もよく見かける指紋識別装置は例として、ノートパソコンのキーボードの一側に固定、もしくは手持式行動装置の裏側、もしくは一端底側の固定位置に独立設計されるため、モバイル装置のタッチ制御のモニター上に有効に整合できず、モバイル装置の体積を小さくすることができない。また、公知の指紋識別チップパッケージングモジュールは、主に基板、チップ及びモジュールパッケージング体を含む。チップは基板上に設置し、且つ基板と電気的に接続し、モジュールパッケージング体は基板の表面及びチップ上を被覆する。
【先行技術文献】
【特許文献】
【０００５】
【特許文献１】特開２００９−２２４１１２号公報
【特許文献２】特開２０１０−１０３２４１０号公報
【考案の概要】
【考案が解決しようとする課題】
【０００６】
解決しようとする問題点は、一般的に手指がチップのセンサーエリアにタッチした時、チップ外面は多層膜を被覆しているため、チップパッケージングモジュール全体の厚みが比較的高く、チップパッケージングモジュール感度が低くなってしまう点である。
【０００７】
その他、公知の滑動式指紋識別システムは方向性を備え、その識別時間は長すぎ、且つ識別性が悪く、更に独立設置しなければならず、構造の整合性もしくは使用便利性のどちらも非常に悪い点である。
【課題を解決するための手段】
【０００８】
本考案は、ガラス基板、第一電極層、絶縁層、第二電極層、配線層、薄膜層、指紋識別感知層を含む。該ガラス基板は、第一平面及び第二平面を備え、該第一平面にはタッチ制御エリア及び非タッチ制御エリアを定める。該第一電極層は該第二平面に設置し、複数の第一電極を備える。該絶縁層の一側は前述の第一電極層を被覆する。該第二電極層は該絶縁層の別一側に設置し、複数の第二電極を備える。該配線層は該非タッチ制御エリアに設置し、前述の第一、二電極層を選択して電気的に接続する。該薄膜層は前述の第二電極層及び該配線層を被覆する。該指紋識別感知層は、前述の薄膜層の別一側に設置し、複数の指紋識別チップ及び複数の伝送導線を備え、該複数の伝送導線と電気連接することを最も主要な特徴とする。
【考案の効果】
【０００９】
本考案の指紋識別機能を備えたタッチパネルは、大幅に製造コスト全体を下げ、指紋識別の準確率を向上させるという利点がある。
【図面の簡単な説明】
【００１０】
【図１】本考案の指紋識別機能を備えたタッチ装置第一実施例の立体分解図である。
【図２】本考案の指紋識別機能を備えたタッチ装置第一実施例の組立断面図である。
【図３】本考案の指紋識別機能を備えたタッチ装置の第二実施例の組立断面図である。
【図４】本考案の指紋識別機能を備えたタッチ装置の第三実施例の組立断面図である。
【図５】本考案の指紋識別機能を備えたタッチ装置の第四実施例の指紋識別層の俯瞰図である。
【図６】本考案の指紋識別機能を備えたタッチ装置の第四実施例の指紋識別層局部拡大図である。
【図７】本考案の指紋識別機能を備えたタッチ装置の第五実施例の組立断面図である。
【考案を実施するための形態】
【００１１】
上述の問題を有効に改善するため、指紋識別チップとタッチ制御パネルを整合して一体化した指紋識別機能を備えたタッチ装置を提供する事を本考案の主な目的とする。
【００１２】
ガラス基板、第一電極層、絶縁層、第二電極層、配線層、薄膜層、指紋識別感知層を含む指紋識別機能を備えたタッチ装置を提供することを本考案の目的とする。
【００１３】
該ガラス基板は、第一平面及び第二平面を備え、該第一、二平面は該ガラス基板上、下の両側で分設し、該第一平面でタッチ制御エリア及び非タッチ制御エリアを定め、該非タッチ制御エリアは該タッチ制御エリアと隣接する。該第一電極層は、該ガラス基板の第二平面に設置し、該第一電極層は複数の第一電極を備える。該絶縁層は前述の第一電極層を被覆する。該第二電極層は該絶縁層の該第一電極層に相反する別側に設置し、該第二電極層は複数の第二電極を備える。該配線層は複数の導線を備えて該非タッチ制御エリアに設置し、該複数の導線は前述の第一、二電極層を選択して電気連接する。該薄膜層は前述の第二電極層及び該配線層を被覆する。
【００１４】
該指紋識別感知層は、前述の薄膜層の前述の第二電極層に相反する別側に設置し、複数の指紋識別チップ及び複数の伝送導線を備え、該複数の指紋識別チップは該複数の伝送導線と電気的に接続する。
【００１５】
該指紋識別チップをタッチ制御パネル上に整合し、製造コストを節約するだけでなく、更にタッチ制御の感度及び正確率を高める。
【実施例１】
【００１６】
本考案の上述の目的及びその構造と機能上の特性を図面に基づき、実施例を挙げて説明する。
【００１７】
図１、２は、本考案の指紋識別機能を備えたタッチ装置の第一実施例の立体分解及び組立断面図である。図に示すとおり、本考案の指紋識別機能を備えたタッチ装置１は、ガラス基板１１、第一電極層１２、絶縁層１３、第二電極層１４、配線層１５、薄膜層１６、指紋識別感知層１７を含む。
【００１８】
該ガラス基板１１は、上、下両側をそれぞれ第一平面１１１及び第二平面１１２とし、該第一平面１１１にタッチ制御エリア１１ａ及び非タッチ制御エリア１１ｂを定める。該非タッチ制御エリア１１ｂは、該タッチ制御エリア１１ａに隣接して、該タッチ制御エリア１１ａ外側に設置する。
【００１９】
該第一電極層１２は、該ガラス基板１１の第二平面１１２に設置し、該第一電極層１２は複数の第一電極１２１を備え、該複数の第一電極１２１は前述のタッチ制御エリア１１ａに設置し、一部が該非タッチ制御エリア１１ｂまで延びる。
【００２０】
該絶縁層１３は前述の第一電極層１２を被覆する。
【００２１】
該第二電極層１４は、該絶縁層１３の該第一電極層１２に相反する別一側に設置し、該第二電極層１４は複数の第二電極１４１を備え、該第二電極層１４は該タッチ制御エリア１１ａに対応して設置し、一部は該非タッチ制御エリア１１ｂまで延びる。
【００２２】
該配線層１５は複数の導線１５１を備え、該非タッチ制御エリア１１ｂに設置し、該複数の導線１５１は前述の第一、二電極層１２、１４を選択して電気的に接続する。該薄膜層１６は前述の第二電極層１４及び該配線層１５を被覆する。
【００２３】
該指紋識別感知層１７は、前述の薄膜層１６の前述の第二電極層１４に相反する別一側に設置し、複数の指紋識別チップ１７１及び複数の伝送導線１７２を備え、該複数の指紋識別チップ１７１は、該複数の伝送導線１７２と電気的に接続する。
【００２４】
本考案は、指紋識別感知層１７内の複数の指紋識別チップ１７１と該第一、二電極層１２、１４を該タッチ制御エリア１１ａ内で同様に整合し、それらに拠って、タッチ制御の正確率及び製造コスト節約の向上を達成する。
【実施例２】
【００２５】
図３は本考案の指紋識別機能を備えたタッチ装置の第二実施例の組立断面図である。図に示すとおり、本実施例の部分構造の技術特徴で前述の第一実施例と同じであるものについては説明を重複しない。しかしながら、本実施例の前述の第一実施例と異なる箇所として、該指紋識別機能を備えたタッチ装置１において、更に遮蔽層１８を備える。該遮蔽層１８はガラス基板１１の該第二平面１１２の非タッチ制御エリア１１ｂに設置し、更に該遮蔽層１８は該ガラス基板１１及び該配線層１５の間に設置し、該遮蔽層１８によって該配線層１５が外部に晒されるのを遮蔽する。
【実施例３】
【００２６】
図４は、本考案の指紋識別機能を備えたタッチ装置の第三実施例の組立断面図である。図に示すとおり、本実施例の部分構造の技術特徴で前述の第一実施例と同じであるものについては説明を重複しない。しかしながら、本実施例の前述の第一実施例と異なる箇所として、該指紋識別機能を備えたタッチ装置１は更に保護層１９を備え、前述の指紋識別感知層１７を被覆し、並びに該保護層１９はエポキシ樹脂、もしくはアクリル樹脂、もしくはシリコン樹脂のうちのどれかを選び、該保護層１９は該複数の指紋識別チップ層１７裏側が外部に露出するのを防止する。 
【実施例４】
【００２７】
図５、６は、本考案の指紋識別機能を備えたタッチ装置の第四実施例の指紋識別層の俯瞰図及び局部拡大図である。図に示すとおり、本実施例の部分構造の技術特徴で前述の第一実施例と同じであるものについては説明を重複しない。しかしながら、本実施例の前述の第一実施例と異なる箇所として、該指紋識別感知層１７は更に複数の金属導線１７３を備える。該金属導線１７３は透明で、該複数の指紋識別チップ１７１と相互に隣接して設置する。該金属導線１７３の設置は主に指紋識別チップ１７１が行う指紋識別の識別率を向上させる。
【実施例５】
【００２８】
図７は、本考案の指紋識別機能を備えたタッチ装置の第五実施例の組立断面図である。図に示すとおり，本実施例の部分構造の技術特徴で前述の第一実施例と同じであるものについては説明を重複しない。しかしながら、本実施例の前述の第一実施例と異なる箇所として、該指紋識別感知層１７はガラス基板１１の第一平面１１１に設置する。
【符号の説明】
【００２９】
１        指紋識別機能を備えたタッチ装置
１１        ガラス基板
１１ａ      タッチ制御エリア
１１ｂ      非タッチ制御エリア
１１１        第一平面
１１２        第二平面
１２        第一電極層
１２１        第一電極
１３        絶縁層
１４        第二電極層
１４１        第二電極
１５        配線層
１５１        導線
１６        薄膜層
１７        指紋識別感知層
１７１        指紋識別チップ
１７２        伝送導線
１７３        金属導線
１８        遮蔽層
１９        保護層
【図１】
0003197809.tif 000003
【図２】
0003197809.tif 000004
【図３】
0003197809.tif 000005
【図４】
0003197809.tif 000006
【図５】
0003197809.tif 000007
【図６】
0003197809.tif 000008
【図７】
0003197809.tif 000009